(57)【要約】【課題】本発明は紙製帯状シートを多重巻きして形成した紙製多重巻きロールから成る液体濾過フィルターの濾過機能を向上せしめることを目的とする。【解決手段】紙製帯状シートを多重巻きした紙製多重巻きロール１から成り、該紙製多重巻きロール１の軸線上において対向する一端面を液体導入面６とし、同他端面を液体導出面７とした構成を有する液体濾過フィルターにおいて、上記紙製帯状シートの長手方向に延在する紙製テープ３又は紙製紐を該紙製帯状シート２と一緒に多重巻きし、該紙製テープ３又は紙製紐の多重巻きにより上記紙製多重巻きロール１の上記軸線方向の長さの途中に高密度巻き締め部１０を形成した液体濾過フィルター。【選択図】        図８
2005246317.tif 000002
【特許請求の範囲】
【請求項１】
紙製帯状シートを多重巻きした紙製多重巻きロールから成り、該紙製多重巻きロールの軸線上において対向する一端面を液体導入面とし、同他端面を液体導出面とした構成を有する液体濾過フィルターにおいて、上記紙製帯状シートの長手方向に延在する紙製テープ又は紙製紐を該紙製帯状シートと一緒に多重巻きし、該紙製テープ又は紙製紐の多重巻きにより上記紙製多重巻きロールの上記軸線方向の長さの途中に高密度巻き締め部を形成したことを特徴とする液体濾過フィルター。
【請求項２】
上記紙製帯状シートとして複数条の紙製帯状シートを貼り合わせ、該貼り合わせ界面に上記紙製テープ又は紙製紐を介在した貼り合わせシートを用いたことを特徴とする請求項１記載の液体濾過フィルター。
【請求項３】
上記紙製帯状シートとして複数条の紙製帯状シートを貼り合わせ、該貼り合わせ界面に上記紙製テープ又は紙製紐を介在し、クレープを施した貼り合わせシートを用いたことを特徴とする請求項１記載の液体濾過フィルター。
【請求項４】
上記紙製テープ又は紙製紐を紙製多重巻きロールの上記液体導入面側端部、又は上記液体導入面側端部と液体導出面側端部において多重巻きにし、上記高密度巻き締め部を形成したことを特徴とする請求項１記載の液体濾過フィルター。
【請求項５】
上記紙製テープを紙製多重巻きロールを形成する紙製帯状シートの耳部外側辺（液体導入面又は液体導入面と液体導出面）と一致するように配したことを特徴とする請求項４記載の液体濾過フィルター。
【発明の詳細な説明】
【技術分野】
【０００１】
本発明は各種廃液等の不純物を含有する液体、例えばビルの床等の清掃に用いられる使用済み洗浄液の再生に用いられる液体濾過フィルターに関する。
【背景技術】
【０００２】
特許文献１は紙製帯状シートを多重巻きした紙製多重巻きロールから成り、該紙製多重巻きロールの軸線上において対向する一端面を食用油導入面とし、同他端面を食用油導出面とした食用油の濾過フィルターを教示している。
【０００３】
又この濾過フィルターにおいては、内部に光触媒炭を含有せしめ食用油を脱色する機能を付加している。
【特許文献１】特開２００２−１５９８０９号公報
【発明の開示】
【発明が解決しようとする課題】
【０００４】
上記濾過フィルターは紙製帯状シートをその全幅において等巻き締め力で且つ等密度に巻き締めした構造であり、高密度巻き締めには限界があり、液体がロール全長を等スピードで浸透し通過し、この通過速度も比較的速く、微細な不純物の捕捉効果に劣り、加えて大粒度の不純物の浸入による目詰まりを招来し易い。
【０００５】
又食用油導入面、即ち液体導入面を形成する多重巻きロールの一端部の紙製帯状シートの多重巻き耳部が早期に膨潤し、且つ型崩れを引き起こし液体の内部への浸透を損ない、フィルター機能を低下する問題点を有している。
【０００６】
殊に上記紙製多重巻きロールを、ビルの床面清掃等に用いられているアルカリ洗浄液等の再生用濾過フィルターとして使用した場合には、紙製多重巻きロールの液体導入面側端部、即ち紙製帯状シートの多重巻き耳部の溶解侵食や型崩れが著しく、早期に目詰まりを来してフィルター機能を悪化し、耐用寿命の低下を来たし不経済である問題を有している。
【課題を解決するための手段】
【０００７】
本発明は上記問題を解消し、上記濾過フィルターを形成する紙製多重巻きロールの濾過効果を向上せしめる目的を以って創出されたものである。
【０００８】
要述すると、本発明は上記紙製帯状シートの長手方向に紙製テープを延在せしめ、該紙製帯状シートを紙製テープ又は紙製紐と一緒に多重巻きし、該紙製テープ又は紙製紐の多重巻きにより上記紙製多重巻きロールの軸線方向の長さの途中に高密度巻き締め部を形成した液体濾過フィルターを提供する。
【０００９】
上記紙製テープ又は紙製紐は紙製多重巻きロールの液体導入面側端部、又は液体導入面側端部と同導出面側端部において多重巻きにし、各部位に上記高密度巻き締め部を形成する。
【００１０】
適例として上記紙製テープは紙製多重巻きロールを形成する紙製帯状シートの耳部外側辺と一致するように配する。即ち上記紙製テープの耳部外側辺が紙製多重巻きロールの液体導入面と一致するように配するか、又は液体導入面と液体導出面の夫々に一致するように配する。
【００１１】
上記紙製帯状シートとしては複数条の紙製帯状シートを貼り合わせ、該貼り合わせ界面に上記紙製テープ又は紙製紐を介在した貼り合わせシートを用いる。
【００１２】
好ましくは上記テープ入り又は紐入り貼り合わせシートにクレープを施したものを用いる。
【発明の効果】
【００１３】
上記紙製テープ又は紙製紐の多重巻きにより形成した紙製多重巻きロールにはその軸線方向において、紙製テープ又は紙製紐の多重巻きによる高密度巻き締め部と、紙製テープ又は紙製紐が介在しない低密度巻き部を形成し、高密度巻き締め部によりロール全長に浸透する液体の浸透時間を充分に確保し濾過機能を発揮する。
【００１４】
又上記高密度巻き締め部により微細な不純物を有効に捕捉し、同時に大粒度の不純物の除去効果をも向上し、殊に上記高密度巻き締め部を液体導入面を形成するロールの端部に配することによって、該導入面における大粒度の不純物の除去効果を向上し、高密度巻き締め部に浸透する液体から微細な不純物を有効に捕捉する。
【００１５】
この効果は紙製テープ又は紙製紐を紙製多重巻きロールを形成する紙製帯状シートの耳部外側辺と一致するように配置することにより、より有効に惹起される。
【００１６】
又テープ入り又は紐入り貼り合わせシートの適用により、紙製帯状シートの強度を増加し、適切な巻き締めが行える。
【００１７】
更には上記テープ入り又は紐入り貼り合わせシートにクレープを施した構造にすることにより、各紙製帯状シートとテープ又は紐とに互いに同調したクレープの山と谷を形成し、均一なクレープ付き紙製多重巻きロールを形成できると共に、クレープを適切に保形する強度が得られ、クレープ付与による濾過効果を有効に発揮せしめることができる。
【００１８】
上記貼り合わせシートの適用によって、ロールは貼り合わ用接着材層が多重巻きされた構造になり、これにより紙製多重巻きロール内に浸透した液体による多重巻きされた紙製帯状シートの膨潤、型崩れを有効に抑止し、多重巻き紙製帯状シートを通しての液体のロール軸線方向への浸透に良好な指向性を付与する。
【００１９】
加えて高密度巻き締め部を液体導入面側端部、又は液体導入面と同導出面側端部に配することにより、同導入面側端部と導出面側端部における多重巻き耳部の型崩れを上記貼り合わせシートの適用と相俟ってより有効に防止する。
【発明を実施するための最良の形態】
【００２０】
以下本発明を実施するための最良の形態を図１乃至図８に基づき説明する。
【００２１】
図１，図２に示すように、紙製多重巻きロール１の原紙として、紙製帯状シート２の長手方向、即ち巻き方向に紙製テープ３又は紙製紐４を延在せる同シート２を用意する。
【００２２】
上記紙製テープ３は原紙を幅狭にスリッティングして形成した平シートであり、紙製紐４は撚り紐であり、何れもパルプ繊維から成る。
【００２３】
同様に上記紙製帯状シート２はパルプ繊維から成る平シート（平面抄きシート又はクレープ加工紙）であり、図１Ａ，図１Ｂと図２Ａ，図３Ａに示すように、複数条の紙製帯状シート２ａ，２ｂを接着材８を介して貼り合わせ、該貼り合わせ界面に紙製テープ３又は紙製紐４を単列又は間隔を置いて並列して介在し貼り合わせた、貼り合わせシートから成る紙製帯状シート２を用いる。
【００２４】
図４Ａ，Ｂ、図５Ａ，Ｂ、図６Ａ，Ｂに示すように、上記テープ入り又は紐入り貼り合わせシートを同心円に多重巻きし紙製多重巻きロール１を形成する。該紙製テープ３又は紙製紐４は貼り合わせシートと一緒に多重巻きされ、該紙製テープ３又は紙製紐４の多重巻き部に高密度巻き締め部１０を形成する。
【００２５】
紙製帯状シート２は紙製テープ３又は紙製紐４の介在部において圧縮され、加えて同テープ３又は紐４の介在による厚み付加により、強力に巻き締めして上記高密度巻き締め部１０を形成する。
【００２６】
又は図１Ａ，図１Ｂと図２Ｂ，図３Ｂに示すように、一条の紙製帯状シート２の片面に紙製テープ３又は紙製紐４を単列又は間隔を置いて並列して貼り合わせた紙製帯状シート２を用い、図４Ａ，Ｂ、図５Ａ，Ｂに示すように、上記テープ入り又は紐入り貼り合わせシートを同心円に多重巻きし紙製多重巻きロール１を形成する。該紙製テープ３又は紙製紐４は紙製帯状シート２と一緒に多重巻きされ、該紙製テープ３又は紙製紐４の多重巻き部に高密度巻き締め部１０を形成する。
【００２７】
又は紙製帯状シート２の抄紙時において、抄紙層内に上記紙製テープ３又は紙製紐４を単列又は間隔を置いて並列して介在した一条（一枚）の紙製帯状シート２を用い、上記紙製多重巻きロール１を形成し、上記高密度巻き締め部１０を形成する。
【００２８】
上記紙製多重巻きロール１は軸線上において対向する一端面で液体導入面６を形成し、同他端面で液体導出面７を形成している。
【００２９】
上記紙製帯状シート２は例えば巻取軸１５を芯材としてその周面に多重巻きにする。この巻取軸１５は好ましくは紙管を用いる。又は紙管の他、合成樹脂管、又は金属管等を用いることができる。巻取軸１５として管材を用いる場合には、フィルターとして使用する時、又は事前に管材の少なくとも液体導入面６側の端部開口を閉塞し液体９が通流しないようにする。
【００３０】
好ましくは図１Ａ，図２Ａ，Ｂに示すように、上記紙製テープ３はその一方外側辺（一方耳部端縁）が紙製帯状シート２の一方外側辺（一方耳部端縁）と一致するように配置する。
【００３１】
又は同図に示すように、第一紙製テープ３をその外側辺（一方耳部端縁）が紙製帯状シート２の一方外側辺（一方耳部端縁）と一致するように配置すると共に、第二紙製テープ３をその外側辺（他方耳部端縁）が紙製帯状シート２の他方外側辺（他方耳部端縁）と一致するように配置する。
【００３２】
上記紙製帯状シート２を多重巻きして多重巻きロール１を形成し、図４Ａ，図６Ａに示すように、同ロールの液体導入面側端部に高密度巻き締め部１０を形成すると共に、該高密度巻き締め部１０を形成する多重巻きテープ３の外側辺が液体導入面６と一致した構造にする。
【００３３】
又は図５Ａ，図６Ａに示すように、上記紙製多重巻きロール１の液体導入面側端部と液体導出面側端部に高密度巻き締め部１０を形成すると共に、該高密度巻き締め部１０を形成する第一多重巻きテープ３の外側辺が液体導入面６と一致し、第二多重巻きテープ３の外側辺が液体導出面７と一致した構造にする。
【００３４】
図２，図３に破線で示すように、上記紙製テープ３を紙製帯状シート２の中間部に配置することによってロールの軸線方向の中間部に上記高密度多重巻き締め部１０を形成する。
【００３５】
上記紙製テープ３の多重巻きにより、高密度巻き締め部１０を形成することにより、紙製多重巻きロール１の軸線方向において、紙製テープ３の多重巻きによる高密度巻き締め部１０と、紙製テープ３が介在しない低密度巻き部１４を形成し、高密度巻き締め部１０によりロール全長に浸透する液体９の浸透時間を充分に確保し、又その浸透速度に緩急を付け濾過機能を発揮する。
【００３６】
又図１Ｂ，図３Ａ，Ｂに示すように、上記紙製紐４を紙製帯状シート２の一方外側辺（一方耳部端縁）の至近に配置する。
【００３７】
又は同図に示すように、第一紙製紐４を紙製帯状シート２の一方外側辺（一方耳部端縁）の至近に配置すると共に、第二紙製紐４を紙製帯状シート２の他方外側辺（他方耳部端縁）の至近に配置する。
【００３８】
上記紙製帯状シート２を多重巻きして多重巻きロール１を形成し、図４Ｂ，図６Ｂに示すように、同ロールの液体導入面側端部に高密度巻き締め部１０を形成すると共に、該高密度巻き締め部１０を形成する多重巻き紐４を液体導入面６の至近に配した構造にする。
【００３９】
又は図５Ｂ，図６Ｂに示すように、上記紙製多重巻きロール１の液体導入面側端部と液体導出面側端部に高密度巻き締め部１０を形成すると共に、該高密度巻き締め部１０を形成する第一多重巻き紐４を液体導入面６の至近に配置し、第二多重巻き紐４を液体導出面７の至近に配置した構造にする。
【００４０】
図３Ａ，Ｂに破線で示すように、上記紙製紐４を紙製帯状シート２の中間部に配置することによってロールの軸線方向の中間部に上記高密度多重巻き締め部１０を形成する。
【００４１】
上記紙製紐４の多重巻きにより、高密度巻き締め部１０を形成することにより、紙製多重巻きロール１の軸線方向において、紙製紐４の多重巻きによる高密度巻き締め部１０と、紙製紐４が介在しない低密度巻き部１４を形成し、高密度巻き締め部１０によりロール全長に浸透する液体９の浸透時間を充分に確保し、又その浸透速度に緩急を付け濾過機能を発揮する。
【００４２】
上記紙製帯状シート２にはクレープ５を施したものを用いる。例えば紙製帯状シート２を複数条の紙製帯状シート、好ましくは第一紙製帯状シート２ａと第二紙製帯状シート２ｂの二条の貼り合わせシートにて形成し、該貼り合わせ界面に紙製テープ３又は紙製紐４を介在し貼り合わせた、貼り合わせシートにクレープ５を施した構造のクレープ紙を適用する。
【００４３】
上記複数条の紙製帯状シート２ａ，２ｂを貼り合わせ且つ紙製テープ３又は紙製紐４を介在して貼り合わせた、貼り合わせシートから成る紙製帯状シート２に事後的にクレープ５を施す構造により、紙製帯状シート２ａ，２ｂと紙製テープ３又は紙製紐４とに接着材層８を介しての互いに同調したクレープ５の山と谷を形成する。
【００４４】
又均一なクレープ５付き紙製多重巻きロール１を形成できると共に、クレープ５を適切に保形し、クレープ５付与による濾過効果を有効に惹起する。
【００４５】
図７（写真）は上記クレープ５を施した紙製帯状シート２を多重巻きして形成したロール１の要部拡大平面図を示し、同図に示すように、液体導入面６と液体導出面７を含むロール全長において、クレープ５の山と山を突き合わせ、谷部間に間隙１３を形成した構造を示している。
【００４６】
図６Ａ，Ｂに示すように、上記複数条のテープ入り又は紐入り紙製帯状シート２（２ａ，２ｂ）の貼り合わせシートの適用によって、液体９を透過しない貼り合わせ接着材層８が多重巻きされた構造を得る。よって紙製多重巻きロール１内に浸透した液体９によるロール１全長における多重巻きされた紙製帯状シート２の膨潤、型崩れを有効に抑止し、多重巻き紙製帯状シート２を通しての液体９のロール軸線方向への浸透に指向性を付与する。
【００４７】
加えて貼り合わせシートの適用により、紙製帯状シート２にテンションを与えつつ多重巻きする場合の引っ張り強度を適切に確保し、ロール１の高密度多重巻きを容易にする。
【００４８】
上記紙製帯状シート２、紙製テープ３、紙製紐４としてはクラフト紙が適性である。又タオル原紙、おしぼり原紙を適用することができる。クラフト紙は引っ張り強度に富み剛性を有し、容易に膨潤せず、紙製多重巻きロール１から成る液体濾過フィルターの基材として適性である。
【００４９】
又上記貼り合わせシートとしては、クラフト紙から成る帯状シート２ａとクラフト紙から成る帯状シート２ｂを接着材（接着材層８）を介して貼り合わせ貼り合わせ界面にクラフト紙から成る紙製テープ３又は紙製紐４を介在した帯状シート２を用いる。
【００５０】
又はクラフト紙とタオル原紙の貼り合わせシート、又はクラフト紙とおしぼり原紙の貼り合わせシート、又はタオル原紙相互の貼り合わせシート、又はおしぼり原紙相互の貼り合わせシートを適用し、夫々の貼り合わせ界面に紙製テープ３又は紙製紐４を介在する。紙製帯状シート２として家庭用薄用紙の適用を妨げない。
【００５１】
図８に示すように、上記液体９は紙製多重巻きロール１の液体導入面６へ向け加圧して供給され、該液体９の加圧供給により、紙製多重巻きロール１内への液体９の浸透を健全に進行せしめ、この浸透過程において上記高密度巻き締め部１０と低密度巻き部１４が協働して濾過機能を遺憾なく発揮せしめる。
【図面の簡単な説明】
【００５２】
【図１】Ａは紙製多重巻きロールの原紙として供される、紙製テープを耳部に沿い延在せしめクレープを付与した紙製帯状シートの平面図、Ｂは紙製多重巻きロールの原紙として供される、紙製紐を耳部に沿い延在せしめクレープを付与した紙製帯状シートの平面図。
【図２】Ａは上記紙製テープを介在し貼り合わせた貼り合わせシートから成る上記紙製帯状シートの断面図、Ｂは上記紙製テープを外表面に延在せしめた上記紙製帯状シートの断面図。
【図３】Ａは上記紙製紐を介在し貼り合わせた貼り合わせシートから成る上記紙製帯状シートの断面図、Ｂは上記紙製紐を外表面に延在せしめた上記紙製帯状シートの断面図。
【図４】Ａは上記紙製帯状シートと一緒に上記紙製テープを多重巻きし形成したロールの液体導入面側端部に、該紙製テープの多重巻きによる高密度巻き締め部を形成した液体濾過フィルターを一部断面して示す側面図、Ｂは上記紙製帯状シートと一緒に上記紙製紐を多重巻きし形成したロールの液体導入面側端部に、該紙製紐の多重巻きによる高密度巻き締め部を形成した液体濾過フィルターを一部断面して示す側面図。
【図５】Ａは上記紙製帯状シートと一緒に上記紙製テープを多重巻きし形成したロールの液体導入面側端部と液体導出面側端部に、該紙製テープの多重巻きによる高密度巻き締め部を形成した液体濾過フィルターを一部断面して示す側面図、Ｂは上記紙製帯状シートと一緒に上記紙製紐を多重巻きし形成したロールの液体導入面側端部と液体導出面側端部に、該紙製紐の多重巻きによる高密度巻き締め部を形成した液体濾過フィルターを一部断面して示す側面図。
【図６】Ａは紙製テープを介在し貼り合わせた貼り合わせシートを多重巻きし形成した紙製多重巻きロールにおける多重巻き耳部（高密度巻き締め部）の構造を示す要部拡大断面図、Ｂは紙製紐を介在し貼り合わせた貼り合わせシートを多重巻きし形成した紙製多重巻きロールにおける多重巻き耳部（高密度巻き締め部）の構造を示す要部拡大断面図。
【図７】上記紙製多重巻きロールから成る液体濾過フィルターをクレープを施した紙製帯状シートによって形成した場合における、同ロールの要部拡大平面図（写真）。
【図８】上記紙製多重ロール成る液体濾過フィルターにおける液体浸透状態を説明する側面図。
【符号の説明】
【００５３】
１…紙製多重巻きロール、２，２ａ，２ｂ…紙製帯状シート、３…紙製テープ、４…紙製紐、５…クレープ、６…液体導入面、７…液体導出面、８…接着材層、９…液体、１０…高密度巻き締め部、１１…多重巻き耳部、１３…間隙、１４…低密度巻き部、１５…巻取軸。
【図１】
2005246317.tif 000003
【図２】
2005246317.tif 000004
【図３】
2005246317.tif 000005
【図４】
2005246317.tif 000006
【図５】
2005246317.tif 000007
【図６】
2005246317.tif 000008
【図８】
2005246317.tif 000009
【図７】
2005246317.tif 000010